(57)【要約】【課題】観察者に対する情報伝達の遅延をもたらすことなく画像の焼付きが防止される表示装置およびそのような表示装置を備えたインストルメントパネルならびに自動車両を提供する。【解決手段】本発明による表示装置は、情報を表示する表示パネルと、表示パネルを駆動するための駆動回路とを備え、駆動回路は、表示パネルに静的に表示される情報の表示色を、表示時間の経過に伴って変化させることができる。表示パネルは、マトリクス状に配列された複数の画素を有し、各画素は、赤色に対応したＲ絵素、緑色に対応したＧ絵素および青色に対応したＢ絵素をそれぞれが有する複数のサブ画素を有する。表示色の変化は、複数のサブ画素のうちのあるサブ画素の輝度変化による、ＸＹＺ表色系における三刺激値Ｘ、Ｙ、Ｚの変化を、他のサブ画素の輝度変化により補うように行われる。【選択図】図４
2008139897.tif 000002
【特許請求の範囲】
【請求項１】
情報を表示する表示パネルと、
前記表示パネルを駆動するための駆動回路とを備え、
前記駆動回路は、前記表示パネルに静的に表示される情報の表示色を、表示時間の経過に伴って変化させることができ、
前記表示パネルは、マトリクス状に配列された複数の画素を有し、
前記複数の画素のそれぞれは、赤色に対応したＲ絵素、緑色に対応したＧ絵素および青色に対応したＢ絵素をそれぞれが有する複数のサブ画素を有し、
前記表示色の変化は、前記複数のサブ画素のうちのあるサブ画素の輝度変化による、ＸＹＺ表色系における三刺激値Ｘ、Ｙ、Ｚの変化を、前記複数のサブ画素のうちの他のサブ画素の輝度変化により補うように行われる表示装置。
【請求項２】
前記駆動回路は、前記表示色の変化を断続的に行い得る請求項１に記載の表示装置。
【請求項３】
前記駆動回路は、前記表示色の変化を連続的に行い得る請求項１に記載の表示装置。
【請求項４】
前記駆動回路は、前記表示パネルに静的に表示される情報の表示位置を、表示時間の経過に伴って変化させない請求項１から３のいずれかに記載の表示装置。
【請求項５】
前記駆動回路は、前記表示パネルに静的に表示される情報を格納する第１のメモリと、前記表示パネルに動的に表示される情報を格納する第２のメモリと、前記表示パネルに静的に表示される情報の表示色を変化させる色変換部とを有している、請求項１から４のいずれかに記載の表示装置。
【請求項６】
情報を表示する表示パネルと、
前記表示パネルを駆動するための駆動回路とを備え、
前記駆動回路は、前記表示パネルに静的に表示される情報を格納する第１のメモリと、前記表示パネルに動的に表示される情報を格納する第２のメモリと、前記表示パネルに静的に表示される情報の表示色を変化させる色変換部とを有し、
前記表示パネルは、マトリクス状に配列された複数の画素を有し、
前記複数の画素のそれぞれは、赤色に対応したＲ絵素、緑色に対応したＧ絵素および青色に対応したＢ絵素をそれぞれが有する複数のサブ画素を有し、
前記表示色の変化は、前記複数のサブ画素のうちのあるサブ画素の輝度変化による、ＸＹＺ表色系における三刺激値Ｘ、Ｙ、Ｚの変化を、前記複数のサブ画素のうちの他のサブ画素の輝度変化により補うように行われる表示装置。
【請求項７】
自動車両に搭載されるインストルメントパネル用の表示装置である請求項１から６のいずれかに記載の表示装置。
【請求項８】
請求項１から７のいずれかに記載の表示装置を備えたインストルメントパネル。
【請求項９】
請求項８に記載のインストルメントパネルを備えた自動車両。
【請求項１０】
情報を表示する表示パネルを備えた表示装置の駆動方法であって、
前記表示パネルの一部に情報を静的に表示するとともに、前記表示パネルの他の部分に情報を動的に表示する第１のステップを包含し、
前記第１のステップは、前記表示パネルに静的に表示される情報の表示色を表示時間の経過に伴って変化させる第２のステップを包含し、
前記表示パネルは、マトリクス状に配列された複数の画素を有し、
前記複数の画素のそれぞれは、赤色に対応したＲ絵素、緑色に対応したＧ絵素および青色に対応したＢ絵素をそれぞれが有する複数のサブ画素を有し、
前記第２のステップは、前記複数のサブ画素のうちのあるサブ画素の輝度変化による、ＸＹＺ表色系における三刺激値Ｘ、Ｙ、Ｚの変化を、前記複数のサブ画素のうちの他のサブ画素の輝度変化により補うように実行される表示装置の駆動方法。
【請求項１１】
前記第２のステップは、前記表示色を断続的に変化させるように実行される請求項１０に記載の表示装置の駆動方法。
【請求項１２】
前記第２のステップは、前記表示色を連続的に変化させるように実行される請求項１０に記載の表示装置の駆動方法。
【請求項１３】
前記第２のステップは、前記表示パネルに静的に表示される情報の表示位置を、表示時間の経過に伴って変化させないように実行される請求項１０から１２のいずれかに記載の表示装置の駆動方法。
【発明の詳細な説明】
【技術分野】
【０００１】
本発明は、表示装置に関し、特に、自動車両に搭載されるインストルメントパネル用やアミューズメント用の表示装置に関する。また、本発明は、そのような表示装置を備えたインストルメントパネルや自動車両にも関する。
【背景技術】
【０００２】
従来、自動車のインストルメントパネルには、スピードメータをはじめとする各種の計器類が設けられていたが、これらの計器類に代えて、液晶表示装置やＣＲＴなどの表示装置を設け、運転に必要な情報をこの表示装置で表示することが提案されている（例えば特許文献１参照）。
【０００３】
また、液晶表示装置やＣＲＴなどの表示装置は、ビデオゲーム機やパチンコ遊技機、パチスロ遊技機等に設けられ、アミューズメント用途に利用されることも多い。
【０００４】
ところが、インストルメントパネルに表示装置を用いる場合や、アミューズメント用途に表示装置を利用する場合には、人為的に作成されたコンテンツに応じた表示が行われるため、背景などを固定的に表示する部分（情報を静的に表示する部分）と動きのある表示を行う部分（情報を動的に表示する部分）のうち、前者（情報を静的に表示する部分）において画像の焼付きが発生するという問題がある。
【０００５】
特許文献２は、表示装置における画像の焼付きを防止するために、表示装置として、実際の表示領域よりも大きな表示可能領域を有するものを用い、予め定められたタイミングごとに順次表示領域を切替える手法を開示している。
【特許文献１】特開平９−１２３８４８号公報
【特許文献２】特開２００３−１７７７１５号公報
【発明の開示】
【発明が解決しようとする課題】
【０００６】
しかしながら、インストルメントパネル用の表示装置に、特許文献２に開示されている手法を用いることはできない。インストルメントパネル用の表示装置には、車両の運転を行うのに必要な情報が表示されるので、その表示位置が変化すると、運転者に違和感を与えてしまうし、所望の情報をすぐに見つけることができず、情報伝達の遅延につながるからである。
【０００７】
また、アミューズメント用の表示装置にも特許文献２に開示されている手法を用いることはできない。情報の表示位置が変化すると、遊技者に違和感を与えてしまうし、所望の情報をすぐに見つけることができずに情報伝達の遅延が発生し、遊技を好適に行うことができなくなるからである。
【０００８】
パーソナルコンピュータ用の表示装置では、画像の焼付きを防止するために、一定時間操作がなされないときに画面を暗転させたり簡単なアニメーションを表示したりするプログラム（「スクリーンセーバ」と呼ばれる）が用いられることが多いが、インストルメントパネル用の表示装置や上述したようなアミューズメント用の表示装置には常に情報を表示しておく必要があるため、スクリーンセーバを用いることもできない。
【０００９】
本発明は、上記問題に鑑みてなされたものであり、その目的は、観察者に対する情報伝達の遅延をもたらすことなく画像の焼付きが防止される表示装置およびそのような表示装置を備えたインストルメントパネルならびに自動車両を提供することにある。
【課題を解決するための手段】
【００１０】
本発明による表示装置は、情報を表示する表示パネルと、前記表示パネルを駆動するための駆動回路とを備え、前記駆動回路は、前記表示パネルに静的に表示される情報の表示色を、表示時間の経過に伴って変化させることができ、そのことによって上記目的が達成される。
【００１１】
ある好適な実施形態において、前記駆動回路は、前記表示色の変化を断続的に行い得る。
【００１２】
ある好適な実施形態において、前記駆動回路は、前記表示色の変化を連続的に行い得る。
【００１３】
ある好適な実施形態において、前記駆動回路は、前記表示パネルに静的に表示される情報の表示位置を、表示時間の経過に伴って変化させない。
【００１４】
ある好適な実施形態において、前記駆動回路は、前記表示パネルに静的に表示される情報を格納する第１のメモリと、前記表示パネルに動的に表示される情報を格納する第２のメモリと、前記表示パネルに静的に表示される情報の表示色を変化させる色変換部とを有している。
【００１５】
あるいは、本発明による表示装置は、情報を表示する表示パネルと、前記表示パネルを駆動するための駆動回路とを備え、前記駆動回路は、前記表示パネルに静的に表示される情報を格納する第１のメモリと、前記表示パネルに動的に表示される情報を格納する第２のメモリと、前記表示パネルに静的に表示される情報の表示色を変化させる色変換部とを有し、そのことによって上記目的が達成される。
【００１６】
ある好適な実施形態において、前記表示パネルは、マトリクス状に配列された複数の画素を有し、前記複数の画素のそれぞれは、第１の色に対応した第１色絵素、第２の色に対応した第２色絵素および第３の色に対応した第３色絵素を含む。
【００１７】
ある好適な実施形態において、前記表示色の変化は、前記第１色絵素、第２色絵素および第３色絵素のうちのいずれか１つの輝度を変化させることによって行われる。
【００１８】
ある好適な実施形態において、前記表示色の変化は、前記第１色絵素、第２色絵素および第３色絵素に前記駆動回路から供給される表示信号電圧を変化させることによって行われる。
【００１９】
ある好適な実施形態において、前記第１色絵素は赤色に対応したＲ絵素であり、前記第２色絵素は緑色に対応したＧ絵素であり、前記第３色絵素は青色に対応したＢ絵素であり、前記表示色の変化は、前記Ｒ絵素、Ｇ絵素およびＢ絵素のうちの１つの輝度変化による、ＸＹＺ表色系における三刺激値Ｘ、Ｙ、Ｚの変化を、前記Ｒ絵素、Ｇ絵素およびＢ絵素のうちの他の２つの輝度変化により補うように行われる。
【００２０】
ある好適な実施形態において、前記複数の画素のそれぞれは、前記第１の色に対応したさらなる第１色絵素、前記第２の色に対応したさらなる第２色絵素および前記第３の色に対応したさらなる第３色絵素を含む。
【００２１】
ある好適な実施形態において、前記表示パネルは、マトリクス状に配列された複数の画素を有し、前記複数の画素のそれぞれは、第１の色に対応した第１色絵素、第２の色に対応した第２色絵素および第３の色に対応した第３色絵素をそれぞれが有する複数のサブ画素を有する。
【００２２】
ある好適な実施形態において、前記第１色絵素は赤色に対応したＲ絵素であり、前記第２色絵素は緑色に対応したＧ絵素であり、前記第３色絵素は青色に対応したＢ絵素であり、前記表示色の変化は、前記複数のサブ画素のうちのあるサブ画素の輝度変化による、ＸＹＺ表色系における三刺激値Ｘ、Ｙ、Ｚの変化を、前記複数のサブ画素のうちの他のサブ画素の輝度変化により補うように行われる。
【００２３】
あるいは、本発明による表示装置は、情報を表示する表示パネルと、前記表示パネルを駆動するための駆動回路とを備え、前記表示パネルは、マトリクス状に配列された複数の画素を有し、前記複数の画素のそれぞれは、第１の色に対応した第１色絵素、第２の色に対応した第２色絵素および第３の色に対応した第３色絵素をそれぞれが有する複数のサブ画素を有し、前記駆動回路は、前記複数の画素のうち情報を静的に表示する画素に含まれる前記第１、第２および第３色絵素の表示階調を、表示時間の経過に伴って前記複数のサブ画素間で入れ替えることができ、そのことによって上記目的が達成される。
【００２４】
ある好適な実施形態において、本発明による表示装置は、自動車両に搭載されるインストルメントパネル用の表示装置である。
【００２５】
本発明によるインストルメントパネルは、上記の構成を有する表示装置を備えており、そのことによって上記目的が達成される。
【００２６】
本発明による自動車両は、上記の構成を有するインストルメントパネルを備えており、そのことによって上記目的が達成される。
【００２７】
本発明による表示装置の駆動方法は、情報を表示する表示パネルを備え、自動車両に搭載されるインストルメントパネル用の表示装置の駆動方法であって、前記表示パネルの一部に情報を静的に表示するとともに、前記表示パネルの他の部分に情報を動的に表示する第１のステップを包含し、前記第１のステップは、前記表示パネルに静的に表示される情報の表示色を表示時間の経過に伴って変化させる第２のステップを包含し、そのことによって上記目的が達成される。
【００２８】
ある好適な実施形態において、前記第２のステップは、前記表示色を断続的に変化させるように実行される。
【００２９】
ある好適な実施形態において、前記第２のステップは、前記表示色を連続的に変化させるように実行される。
【００３０】
ある好適な実施形態において、前記第２のステップは、前記表示パネルに静的に表示される情報の表示位置を、表示時間の経過に伴って変化させないように実行される。
【００３１】
ある好適な実施形態において、前記表示パネルは、マトリクス状に配列された複数の画素を有し、前記複数の画素のそれぞれは、赤色に対応したＲ絵素、緑色に対応したＧ絵素および青色に対応したＢ絵素を含み、前記第２のステップは、前記Ｒ絵素、Ｇ絵素およびＢ絵素のうちの１つの輝度変化による、ＸＹＺ表色系における三刺激値Ｘ、Ｙ、Ｚの変化を、前記Ｒ絵素、Ｇ絵素およびＢ絵素のうちの他の２つの輝度変化により補うように実行される。
【００３２】
ある好適な実施形態において、前記表示パネルは、マトリクス状に配列された複数の画素を有し、前記複数の画素のそれぞれは、赤色に対応したＲ絵素、緑色に対応したＧ絵素および青色に対応したＢ絵素をそれぞれが有する複数のサブ画素を有し、前記第２のステップは、前記複数のサブ画素のうちのあるサブ画素の輝度変化による、ＸＹＺ表色系における三刺激値Ｘ、Ｙ、Ｚの変化を、前記複数のサブ画素のうちの他のサブ画素の輝度変化により補うように実行される。
【００３３】
あるいは、本発明による表示装置の駆動方法は、情報を表示する表示パネルを備え、前記表示パネルは、マトリクス状に配列された複数の画素を有し、前記複数の画素のそれぞれは、第１の色に対応した第１色絵素、第２の色に対応した第２色絵素および第３の色に対応した第３色絵素をそれぞれが有する複数のサブ画素を有する表示装置の駆動方法であって、前記表示パネルの一部に情報を静的に表示するとともに、前記表示パネルの他の部分に情報を動的に表示する第１のステップを包含し、前記第１のステップは、前記複数の画素のうち情報を静的に表示する画素に含まれる前記第１、第２および第３色絵素の表示階調を、表示時間の経過に伴って前記複数のサブ画素間で入れ替える第２のステップを包含し、そのことによって上記目的が達成される。
【発明の効果】
【００３４】
本発明による表示装置が備える駆動回路は、表示パネルに静的に表示される情報の表示色を、表示時間の経過に伴って変化させることができる。そのため、本発明によると、観察者に対する情報伝達の遅延をもたらすことなく画像の焼付きを防止することができる。
【発明を実施するための最良の形態】
【００３５】
以下、図面を参照しながら本発明の実施形態を説明する。なお、本発明は以下の実施形態に限定されるものではない。
【００３６】
図１および図２を参照しながら、本実施形態における表示装置１００を説明する。図１は、表示装置１００を模式的に示すブロック図であり、図２は、表示装置１００が情報を表示している様子を模式的に示す図である。
【００３７】
表示装置１００は、図１に示すように、情報を表示する表示パネル１０と、表示パネル１０を駆動するための駆動回路２０とを備えている。表示装置１００は、自動車両に搭載されるインストルメントパネル用の表示装置であり、自動車両の運転に必要な情報を含む種々の情報を表示することができる。なお、図２には、車両速度（図中左側）およびエンジンの回転数（図中右側）を表示している場合を例示しているが、勿論、表示される情報はこれらに限定されない。燃料残量、水温、バッテリ残量、シフトレバーのポジションなどを表示してもよい。また、図２では、目盛りと針とを用いるアナログ式メータを模した表示を行っているが、時々刻々と数字が変化するデジタル式メータを模した表示を行ってもよい。
【００３８】
表示パネル１０は、例えば、液晶層を備えた液晶表示パネルや、有機ＥＬ素子を備えた有機ＥＬ表示パネルあるいは無機ＥＬ素子を備えた無機ＥＬ表示パネルであり、公知の種々の表示パネルを用いることができる。
【００３９】
表示パネル１０は、マトリクス状に配列された複数の画素を有しており、複数の画素のそれぞれは、第１の色に対応した第１色絵素、第２の色に対応した第２色絵素および第３の色に対応した第３色絵素を含んでいる。「画素（ｐｉｘｅｌ）」は、カラー表示の最小単位であり、「絵素（ｄｏｔ）」は、独立に輝度を制御し得る最小単位である。図３に、本実施形態の表示パネル１０が有する画素を模式的に示す。図３に示すように、画素は、赤色に対応したＲ絵素、緑色に対応したＧ絵素および青色に対応したＢ絵素を有している。
【００４０】
駆動回路２０は、表示パネル１０の種類に応じた構成を有している。例えば、表示パネル１０がアクティブマトリクス型の液晶表示パネルである場合には、駆動回路２０は、表示パネル１０の走査線に走査信号を供給する走査線駆動回路と、表示パネル１０の信号線にデータ信号を供給する信号線駆動回路とを少なくとも備えている。
【００４１】
表示パネル１０に表示される情報は、静的に表示される情報と、動的に表示される情報とを含んでいる。例えば図２に示している場合では、アナログメータの針を模している部分は動的に表示されるが、目盛りを模した部分を含む背景部分は静的に表示されている。
【００４２】
従来の表示装置では、静的に表示される部分に対応した絵素では、表示時間の経過にかかわらず同じ輝度で表示が行われるため、画像の焼付きが発生してしまうという問題があった。
【００４３】
本発明による表示装置１００が備える駆動回路２０は、表示パネル１０に静的に表示される情報の表示色を、表示時間の経過に伴って変化させることができる。表示色を変化させると、Ｒ、Ｇ、Ｂに対応した各絵素の輝度が変化するので、本発明による表示装置１００は、画像の焼付きを防止することができる。本発明による表示装置１００では、表示色の変化により画像の焼付きを防止するので、情報の表示位置を表示時間の経過に伴って変化させる必要はなく、そのため、特許文献２に開示されている手法を用いる場合のような違和感の発生や情報伝達の遅延を伴うこともない。
【００４４】
なお、本願明細書における「静的な表示」とは、印刷媒体における表示のような書き換え不能な表示を指すわけではなく、ある程度の期間以上書き換えが行われない表示を指す。より具体的には、表示色を変化させないときに画像の焼付きが発生し得るような期間（例えば１０分以上）書き換えが行われない表示を指す。
【００４５】
表示色の変化の例を図４に示す。図４に示す例においては、表示開始時点では、背景が青色、目盛りが黄色、針が赤色で表示されているが、静的に表示される背景および目盛りは、表示時間の経過に伴って、青色から緑色、黄色からオレンジ色にそれぞれ変化し、さらに時間が経過すると、緑色、オレンジ色から別の色にそれぞれ変化する。一方、動的に表示される針は、表示時間の経過にかかわらず赤色のままである。
【００４６】
静的な情報の表示色の変化は、色が変化することによって運転者に与える違和感がなるべく小さくなるように行われることが好ましい。
【００４７】
例えば、表示色の変化を比較的色合い（色相）が近い色間で行うことが好ましい。図５に、色相の変化を循環的な配置で表す色相環を示す。この色相環においてできるだけ近い色間（例えば隣接する色間）で表示色を変化させることにより、違和感を小さくすることができるし、この色相環において循環するように表示色を変化させることによって違和感を小さくすることができる。
【００４８】
また、表示色を徐々に（すなわち連続的に）変化させることが好ましい。例えば、図５に示す色相環において隣接する色間で表示色を変化させる場合には、約３０秒以上で色変化を行うことによって、ほとんど違和感のない表示を行うことができる。
【００４９】
上記の説明では、表示色の変化の好ましい例を色相環を用いて説明した。次に、表示色の変化の好ましい例を図６を参照しながら異なる観点から説明する。
【００５０】
図６は、ＸＹＺ表色系におけるｘｙ色度図である。ＸＹＺ表色系における三刺激値Ｘ、Ｙ、Ｚは、下式で表される。
【００５１】
Ｘ＝２．７６８９Ｒ＋１．７５１７Ｇ＋１．１３０２Ｂ
Ｙ＝Ｒ＋４．５９０７Ｇ＋０．０６０１Ｂ
Ｚ＝０．０５６５Ｇ＋５．５９４３Ｂ
【００５２】
ここで、Ｒ、Ｇ、Ｂは、ＲＧＢ表色系における三刺激値であり、赤（Ｒ）、緑（Ｇ）、青（Ｂ）の光によって人間の脳の錐体細胞が受ける刺激の量を示すものである。
【００５３】
図６および上式からわかるように、刺激値Ｘは、赤の刺激値Ｒに大きく依存し、刺激値Ｙは、緑の刺激値Ｇに大きく依存し、刺激値Ｚは、青の刺激値Ｂに大きく依存している。その一方で、刺激値Ｘは、緑の刺激値Ｇおよび青の刺激値Ｂも含んでいるし、刺激値Ｙは、赤の刺激値Ｒおよび青の刺激値Ｂも含んでおり、刺激値Ｚは、緑の刺激値Ｇも含んでいる。そのため、ある色の絵素の輝度を低くした場合には、他の色の絵素の輝度を高くすることによって、刺激値Ｘ、Ｙ、Ｚの変化を小さくすることができ、視覚的な違和感を抑制することができる。例えば、赤色に対応したＲ絵素の輝度を低くする場合、Ｇ絵素とＢ絵素の輝度を高くすることによって、Ｒ絵素の輝度の低下による三刺激値Ｘ、Ｙ、Ｚの変化をある程度抑制でき、違和感を小さくすることができる。
【００５４】
表示色の変化は、Ｒ絵素、Ｇ絵素およびＢ絵素のうちのいずれか１つの輝度を変化させることによって行うこともできるが、上述したように、違和感の発生の抑制の観点からは、Ｒ絵素、Ｇ絵素およびＢ絵素のうちの１つの輝度変化による三刺激値Ｘ、Ｙ、Ｚの変化を、他の２つの輝度変化により補うことが好ましい。
【００５５】
次に、図７（ａ）、（ｂ）および（ｃ）を参照しながら、表示色を変化させたときの各画素の輝度変化を説明する。
【００５６】
まず、静的に表示される情報の表示色を変化させない場合には、図７（ａ）に示すように、Ｒ絵素、Ｇ絵素およびＢ絵素の輝度は時間が経過しても変化しない。
【００５７】
これに対し、本発明による表示装置１００では、静的に表示される情報の表示色を時間の経過に伴って変化させるので、図７（ｂ）に示すように、Ｒ、Ｇ、Ｂの各絵素の輝度も時間の経過に伴って変化する。
【００５８】
図７（ｂ）では、表示色の変化が連続的に行われる場合を示しており、各絵素の輝度も連続的に変化しているが、表示色の変化が断続的に行われる場合には、図７（ｃ）に示すように、各絵素の輝度も断続的に変化する。
【００５９】
表示色を変化させることによる違和感の発生を抑制する観点からは、図７（ｂ）に示すように、表示色を連続的に変化させることが好ましく、表示色の変化の制御を簡便にする観点からは、図７（ｃ）に示すように、表示色を断続的に変化させることが好ましい。
【００６０】
なお、図７（ａ）、（ｂ）および（ｃ）は、各絵素の輝度変化を説明するための模式図であり、これらの図におけるＲ、Ｇ、Ｂの各絵素の輝度の絶対値や、Ｒ、Ｇ、Ｂの各絵素の輝度の足し合わせによって決定される色自体にはあまり意味はない。
【００６１】
また、ここまでの説明では、図４に例示したように、動的に表示される情報（ここでは針）の色を変化させない場合について説明したが、動的に表示される情報の色も表示時間の経過に伴って変化させてもよい。
【００６２】
表示色の変化は、駆動回路２０から所定の駆動信号を表示パネル１０に供給することによって行うことができる。従来の表示装置では、表示領域のうちの静的な表示を行う領域の絵素には同じレベルの表示信号が保持され続けるのに対して、本発明による表示装置１００では、静的な表示を行う領域の絵素に保持される表示信号のレベルが時間の経過とともに変化する。つまり、表示色の変化は、Ｒ絵素、Ｇ絵素およびＢ絵素に駆動回路２０から供給される表示信号電圧を変化させることによって行うことができる。
【００６３】
このような駆動を行うための駆動回路２０の具体的な構成の一例を図８を参照しながら説明する。駆動回路２０は、例えば、走査線駆動回路、信号線駆動回路およびこれらを制御するための制御回路（タイミングジェネレータ）に加え、図８に示すような信号処理部３０を有している。
【００６４】
信号処理部３０は、表示パネル１０に静的に表示される情報を格納する静的表示用メモリ３１と、表示パネル１０に動的に表示される情報を格納する動的表示用メモリ３２と、表示パネルに静的に表示される情報の表示色を変化させるための色変換部３３と、静的に表示される情報と動的に表示される情報とを合成するための合成部３４とを有している。
【００６５】
信号処理部３０に入力される情報のうち、静的に表示される情報は静的表示用メモリ３１に、動的に表示される情報は動的表示用メモリ３２にそれぞれ送られ、格納される。静的表示用メモリ３１に格納された情報は、色変換部３３に送られ、その表示色を変化させられる。色変換部３３は、例えば表示色の色相を変化させる色相変換部である。その後、静的に表示される情報と動的に表示される情報とが合成部３４で合成され、駆動回路２０内の他の制御系や駆動部（例えば上述したタイミングジェネレータ）に出力される。
【００６６】
上述したような信号処理部３０が設けられていることによって、静的に表示される情報の表示色を変化させることが可能になる。なお、図８では、静的表示用メモリ３１と合成部３４との間に色変換部３３を設けているが、静的表示用メモリ３１の前段に色変換部３３を設け、色変換部３３で色の変換を行った後の情報が静的表示用メモリ３１に格納されるような構成としてもよい。また、信号処理部３０は、駆動回路２０の他の構成要素と一体として形成されていてもよいし、別個に形成されていてもよい。
【００６７】
なお、図３には、各画素が３つの絵素（Ｒ絵素、Ｇ絵素およびＢ絵素を１つずつ）を有する構成を示したが、画素の構成はこれに限定されない。例えば、図９に示すように、各画素が６つの絵素（Ｒ絵素、Ｇ絵素およびＢ絵素を２つずつ）を有していてもよい。このような画素構成で単色表示（１色の絵素のみを用いた表示）行う場合、基本的には、赤であれば２つのＲ絵素Ｒ１，Ｒ２、緑であれば２つのＧ絵素Ｇ１，Ｇ２、青であれば２つのＢ絵素Ｂ１，Ｂ２を用いて表示が行われる。そのため、単色表示において表示色を変化させるに際し、ある色の２つの絵素のうちの一方（例えば一方のＲ絵素Ｒ１）の輝度の変化による刺激値の変化を、他方（例えば他方のＲ絵素Ｒ２）の輝度の変化によって補うことができ、他の色の絵素を用いる必要がない。
【００６８】
また、本発明による表示装置において、いわゆる空間ディザ処理を行ってもよい。図１０に、空間ディザ処理を行うための画素構成を示す。図１０に示す構成においては、１つの画素が４つのサブ画素に分割されており、１つのサブ画素は、Ｒ絵素、Ｇ絵素およびＢ絵素を１つずつ有している。空間ディザ処理とは、階調を空間的（面積的）に表現する手法であり、複数（ここでは４つ）のサブ画素の階調レベルを総合したものを１つの画素全体の階調レベルとする手法である。そのため、空間ディザ処理を用いると、１画素で表示可能な階調数を増加（ここでは４倍）することが可能になる。
【００６９】
図１０に示すような空間ディザ処理を行い得る構成では、画像の焼付き防止のために表示色を変化させる際、１つの画素内のあるサブ画素の輝度変化による刺激値の変化を他のサブ画素の輝度変化によって補うことができる。例えば、あるサブ画素のＲ絵素の輝度変化による刺激値の変化を、他のサブ画素のＲ絵素の輝度変化によって補うことができる。そのため、ある色の絵素の輝度変化による刺激値の変化を他の色の絵素の輝度変化によって補う場合に比べ、各絵素の輝度変化量を大きくとることができ、焼付きを防止する効果が高い。なお、上述したようにサブ画素間で刺激値の変化を補う方法と、サブ画素内で刺激値の変化を補う方法とを組み合わせて用いてもよい。
【００７０】
また、図１０に示すような構成において、情報を静的に表示する画素に含まれるＲ絵素、Ｇ絵素およびＢ絵素の表示階調を、表示時間の経過に伴ってサブ画素間で入れ替えることにより、１つの画素全体としての表示色を変化させずに、絵素の輝度を変化させることができ、この場合には、観察者に全く違和感を与えることなく画像の焼付きを防止することができる。
【００７１】
なお、図１０には、１つの画素が４つのサブ画素を有する構成を例示したが、空間ディザ処理を行うためには１画素が必ずしも４つ以上のサブ画素を有する必要はない。例えば、図９に示す画素構成においても空間ディザ処理を行うこともできる。具体的には、Ｒ絵素Ｒ１、Ｇ絵素Ｇ１およびＢ絵素Ｂ１によって１つのサブ画素を構成し、残りのＲ絵素Ｒ２、Ｇ絵素Ｇ２およびＢ絵素Ｂ２によってもう１つのサブ画素を構成することにより、表示階調数を２倍にすることができる。また、一方のサブ画素の輝度変化による刺激値の変化を他方のサブ画素の輝度変化によって補うことができ、さらに、これらのサブ画素間で表示階調を入れ替えることによって、画素全体として表示色を変化させずに画像の焼付きを防止することもできる。
【００７２】
上述したように、本発明による表示装置１００は、情報伝達の遅延をもたらすことなく画像の焼付きを防止することができるので、自動車両のインストルメントパネルに好適に用いることができる。「自動車両」は、自動推進式の乗物または機械で、旅客や品物の輸送あるいは物の移動のために用いられるものを広く指し、例えば、乗用車、オートバイ、バス、トラック、トラクター、飛行機、モーターボート、土木車両、列車などを指す。勿論、ガソリンエンジンなどの内燃機関を備えたものだけでなく、電動機を備えたものも含む。
【００７３】
なお、本実施形態では、インストルメントパネル用の表示装置を例として本発明を説明したが、本発明はこれに限定されるものではない。本発明による表示装置は、情報伝達の遅延をもたらすことなく画像の焼付きを防止することができるので、アミューズメント用の表示装置としても好適に用いられる。インストルメントパネル用の表示装置では、静的に表示される情報の表示色の変化が目立たないことが好ましいが、アミューズメント用の表示装置では、表示色の変化を目立たないように行う必要は必ずしもない。表示時間の経過に伴う表示色の変化を意図的に目立つように行い、それによって、画像の焼付きを防止するとともに美的効果を奏してもよい。なお、「アミューズメント用の表示装置」とは、遊戯目的で製造される表示装置であって、例えば、ビデオゲーム機やパチンコ遊技機、パチスロ遊技機等に設けられる表示装置である。
【産業上の利用可能性】
【００７４】
本発明によると、観察者に対する情報伝達の遅延をもたらすことなく画像の焼付きを防止することができる。本発明による表示装置は、自動車両のインストルメントパネルやアミューズメント用途に好適に用いられる。
【図面の簡単な説明】
【００７５】
【図１】本発明による表示装置１００を模式的に示すブロック図である。
【図２】表示装置１００が情報を表示している様子を模式的に示す図である。
【図３】表示パネルの画素の構成を模式的に示す図である。
【図４】表示色の変化の例を示す図である。
【図５】色相の変化を循環的な配置で表す色相環を示す図である。
【図６】ＸＹＺ表色系におけるｘｙ色度図である。
【図７】（ａ）は、表示色を変化させないときの画素の輝度変化を模式的に示す図であり、（ｂ）は、表示色を連続的に変化させたときの画素の輝度変化を模式的に示す図であり、（ｃ）は、表示色を断続的に変化させたときの画素の輝度変化を模式的に示す図である。
【図８】駆動回路が備える信号処理部の構成を模式的に示すブロック図である。
【図９】表示パネルの画素の他の構成を模式的に示す図である。
【図１０】表示パネルの画素のさらに他の構成を模式的に示す図である。
【符号の説明】
【００７６】
１０    表示パネル
２０    駆動回路
３０    信号制御部
３１    静的表示用メモリ
３２    動的表示用メモリ
３３    色変換部
３４    合成部
１００    表示装置
【図１】
2008139897.tif 000003
【図２】
2008139897.tif 000004
【図３】
2008139897.tif 000005
【図４】
2008139897.tif 000006
【図５】
2008139897.tif 000007
【図６】
2008139897.tif 000008
【図７】
2008139897.tif 000009
【図８】
2008139897.tif 000010
【図９】
2008139897.tif 000011
【図１０】
2008139897.tif 000012